(57)【要約】【課題】  製造コストを減らせ、盗難防止保護効果を高める盗難防止器のケースの提供。【解決手段】  上蓋、底座、及び面蓋で構成され、該上蓋と底座が内側に基板とスピーカを被覆し、該面蓋は上蓋を被覆し並びにロック装置で底座に固定され、これらの各部品の組立は対応する係合手段が相互に係合されて完成し、余分の組合せ手段を必要とせず、組立を簡易化しスピードアップし、組立作業員数を減らし製造コストを減らす。また基板は振動スイッチ或いはリードスイッチをトリガ源とし、車両、手提げ物品、展示物、ドアや窓、或いはキャビネット等の多用途盗難防止器とされ得て、同じケースを共用でき、型の製造コストを減らし、並びに金属ヘッドを具えたワイヤロープが組み合わされて挿通方式で懸吊されるか或いは壁に固定され、最良の盗難防止保護効果を提供する。【選択図】        図１
2006065551.tif 000002
【特許請求の範囲】
【請求項１】
盗難防止器のケースにおいて、該ケースは上蓋、底座、面蓋を具え、
該上蓋は、その両側に少なくとも一つの係止柱が凸設され、並びに基板を載置する係止装置と開放孔が設けられ、該開放孔の外側に囲み板が設けられてスピーカの固定に供され、該囲み板の両側に二つの相互に連通し且つ口径サイズが異なる中空柱が設けられ、
該底座は、上述の上蓋を囲むよう形成された囲み板を具え、該底座の囲み板と底座本体の間に凹溝が設けられ、且つ前述の係止柱に対応する係止孔が設けられ、前述の比較的大口径の中空柱に対応する部分に穿孔が設けられ、並びに該底座の囲み板に鍵孔が設けられ、
該面蓋は、該上蓋を被覆して底座の上に組付けられ、該面蓋の一側内側に底座の係止孔に対応する係止片が凸設され、別側に底座の鍵孔に対応する鍵孔が設けられ、並びに該面蓋の周囲の底端に底座の凹溝に対応する嵌入片が延設され、
以上が組み合わされてネジ止め不要で密閉し外力により強制的に開放されにくいケースとされたことを特徴とする、盗難防止器のケース。
【請求項２】
請求項１記載の盗難防止器のケースにおいて、係止装置が、上蓋の一側内側に設けられた少なくとも一つの押止め片と、内側より基板の幅を離れた位置に設けられた少なくとも一つの位置制限板で組成されたことを特徴とする、盗難防止器のケース。
【請求項３】
請求項１記載の盗難防止器のケースにおいて、二つの中空柱に対応する開放溝が形成されたことを特徴とする、盗難防止器のケース。
【請求項４】
請求項１記載の盗難防止器のケースにおいて、底座にあって基板に圧接する二つの圧接片が凸設されたことを特徴とする、盗難防止器のケース。
【請求項５】
請求項１記載の盗難防止器のケースにおいて、底座の囲み板にあって、二つの中空柱の開放溝に対応する位置に、開放溝が設けられたことを特徴とする、盗難防止器のケース。
【請求項６】
請求項１記載の盗難防止器のケースにおいて、面蓋の側片にあって、底座に設けられた開放溝に対応する位置に、開放溝が設けられたことを特徴とする、盗難防止器のケース。
【請求項７】
請求項１記載の盗難防止器のケースにおいて、ロック装置を更に具え、該ロック装置が底座と面蓋をロックし一体とすることを特徴とする、盗難防止器のケース。
【請求項８】
請求項７記載の盗難防止器のケースにおいて、ロック装置が分離可能なロックヘッドと回転片を具え、該ロックヘッドは円柱体とされ、その一端の周囲にストッパリングが延設され中央に回転片の挿入に供される凹溝が設けられ、別端に凸柱が凸設され、底座及び面蓋の鍵孔に対応する形式を形成していることを特徴とする、盗難防止器のケース。
【請求項９】
請求項７記載の盗難防止器のケースにおいて、両端に金属ヘッドを具えたワイヤロープを更に具え、該ワイヤロープが保護される物品との間の活動連結手段とされたことを特徴とする、盗難防止器のケース。
【請求項１０】
請求項３、５、６のいずれか記載の盗難防止器のケースにおいて、二つの中空柱に設けられた開放溝、底座の開放溝及び面蓋の開放溝がケース組合せ後にチャネルを形成し、電線がそのなかを通りケース外に延伸されることを特徴とする、盗難防止器のケース。
【発明の詳細な説明】
【技術分野】
【０００１】
本発明は一種の盗難防止器のケースに係り、特にネジによる固定が不要で密閉状態に組み立てることができ、外力により強制的に開放しにくく、車両、手提げ物品、展示物、ドアや窓、キャビネット等に使用される盗難防止器であり、挿通方式で懸吊されるか或いは壁に固定される方式のいずれの場合も同じケースを共用できる設計に関する。
【背景技術】
【０００２】
盗難防止器は巨大な音声を発生して違法な侵入を威嚇或いは告知する。この目的を達成するため、最も重要なことは正確に細微な動作を検出することと、外力による強行破壊を防止する作用を有することである。現存の盗難防止器は、どのような検出方式のものであっても、ほとんどがネジ等の手段で内部の基板、警報装置及び外部の組合せケースが組み合わされている。このような組合せ方式の欠点は、以下のとおりである。
１．生産時に数人を一つの生産ラインに配置し、それぞれが基板、警報器及び外部組合せケースのネジ止めを分担しなければならず、人件費と組合せコストがかかりすぎる。
２．ネジ止め方式の盗難防止器は実際の使用時にネジ孔の位置を隠す必要があり、そうしなければネジ孔が露出して簡単に開放、破壊されてしまう。
３．ネジ止め方式の盗難防止器はネジ孔位置を全て底部に設けた場合、壁に固定した時に電池交換に不便となる。
４．ネジ止め方式の盗難防止器で振動トリガの方式を採用しているものは、ほとんどがワイヤロープが主体に固定され、嵌め止め方式で手提げ物品のハンドルに固定され、ワイヤロープを手提げ物品のハンドル或いはかじ取り板に通す方式ではなく、このため泥棒に取り外されやすい。
【０００３】
このため、ネジ止め方式で組合された盗難防止器のケースの構造は、ネジ止めのために組立コスト、人件費が高くつき、応用上もネジ孔が容易に破壊され、不便であり、ネジ孔位置の制限があり、またワイヤロープを挿通する方式で懸吊するか或いは壁に固着する取り付け方式を同時に実施することはできず、ゆえに改良が求められている。
【発明の開示】
【発明が解決しようとする課題】
【０００４】
本発明の主要な目的は、一種の盗難防止器のケースを提供することにあり、それは対応する係合手段の相互係合を利用し、余分の組合せ手段を必要とせず、組立を簡易化し並びにスピードアップでき、組立作業員数を減らして低コストで製造でき、各部品間が密接に結合して外力による強行破壊を防止できるよう形成されたケースであるものとする。
【０００５】
本発明は、上蓋、底座、及び面蓋で構成され、該上蓋と底座が内側に基板とスピーカを被覆し、該面蓋は上蓋を被覆し並びにロック装置で底座に固定され、且つ面蓋周囲底端に嵌入片が延設されて底座の周囲に延設された凹溝と密接に結合され、外力による強行破壊が行ないにくいものとされる。
【０００６】
本発明のもう一つの目的は、一種の盗難防止器のケースを提供することにあり、それは、上蓋に二つの相互に連通し且つ口径サイズの異なる中空柱が設けられ、底座にあって比較的大口径の中空柱に対応する穿孔が設けられ、ワイヤロープの金属ヘッドが底座の穿孔より比較的大口径の中空柱に進入し、並びに比較的小口径の中空柱内に係止され、並びに面蓋により中空柱が被覆されてワイヤロープの脱落が防止され、盗難防止器がハンドル或いはかじ取り盤に挿通されて懸吊方式で取り付け可能とされる懸吊方式で保護物に取り付け可能とされたものとする。
【０００７】
本発明の別の目的は、一種の盗難防止器のケースを提供することにあり、それは、底座、中空柱、面蓋に対応する開放溝が形成され、電線が該開放溝によりリードスイッチと接続可能とされるほか、別の用途の盗難防止器を構成し、同じケースの共用を達成し、型の製造コストを節約できるものとする。
【課題を解決するための手段】
【０００８】
請求項１の発明は、盗難防止器のケースにおいて、該ケースは上蓋、底座、面蓋を具え、
該上蓋は、その両側に少なくとも一つの係止柱が凸設され、並びに基板を載置する係止装置と開放孔が設けられ、該開放孔の外側に囲み板が設けられてスピーカの固定に供され、該囲み板の両側に二つの相互に連通し且つ口径サイズが異なる中空柱が設けられ、
該底座は、上述の上蓋を囲むよう形成された囲み板を具え、該底座の囲み板と底座本体の間に凹溝が設けられ、且つ前述の係止柱に対応する係止孔が設けられ、前述の比較的大口径の中空柱に対応する部分に穿孔が設けられ、並びに該底座の囲み板に鍵孔が設けられ、
該面蓋は、該上蓋を被覆して底座の上に組付けられ、該面蓋の一側内側に底座の係止孔に対応する係止片が凸設され、別側に底座の鍵孔に対応する鍵孔が設けられ、並びに該面蓋の周囲の底端に底座の凹溝に対応する嵌入片が延設され、
以上が組み合わされてネジ止め不要で密閉し外力により強制的に開放されにくいケースとされたことを特徴とする、盗難防止器のケースとしている。
請求項２の発明は、請求項１記載の盗難防止器のケースにおいて、係止装置が、上蓋の一側内側に設けられた少なくとも一つの押止め片と、内側より基板の幅を離れた位置に設けられた少なくとも一つの位置制限板で組成されたことを特徴とする、盗難防止器のケースとしている。
請求項３の発明は、請求項１記載の盗難防止器のケースにおいて、二つの中空柱に対応する開放溝が形成されたことを特徴とする、盗難防止器のケースとしている。
請求項４の発明は、請求項１記載の盗難防止器のケースにおいて、底座にあって基板に圧接する二つの圧接片が凸設されたことを特徴とする、盗難防止器のケースとしている。
請求項５の発明は、請求項１記載の盗難防止器のケースにおいて、底座の囲み板にあって、二つの中空柱の開放溝に対応する位置に、開放溝が設けられたことを特徴とする、盗難防止器のケースとしている。
請求項６の発明は、請求項１記載の盗難防止器のケースにおいて、面蓋の側片にあって、底座に設けられた開放溝に対応する位置に、開放溝が設けられたことを特徴とする、盗難防止器のケースとしている。
請求項７の発明は、請求項１記載の盗難防止器のケースにおいて、ロック装置を更に具え、該ロック装置が底座と面蓋をロックし一体とすることを特徴とする、盗難防止器のケースとしている。
請求項８の発明は、請求項７記載の盗難防止器のケースにおいて、ロック装置が分離可能なロックヘッドと回転片を具え、該ロックヘッドは円柱体とされ、その一端の周囲にストッパリングが延設され中央に回転片の挿入に供される凹溝が設けられ、別端に凸柱が凸設され、底座及び面蓋の鍵孔に対応する形式を形成していることを特徴とする、盗難防止器のケースとしている。
請求項９の発明は、請求項７記載の盗難防止器のケースにおいて、両端に金属ヘッドを具えたワイヤロープを更に具え、該ワイヤロープが保護される物品との間の活動連結手段とされたことを特徴とする、盗難防止器のケースとしている。
請求項１０の発明は、請求項３、５、６のいずれか記載の盗難防止器のケースにおいて、二つの中空柱に設けられた開放溝、底座の開放溝及び面蓋の開放溝がケース組合せ後にチャネルを形成し、電線がそのなかを通りケース外に延伸されることを特徴とする、盗難防止器のケースとしている。
【発明の効果】
【０００９】
本発明の盗難防止器のケースは上蓋、底座、及び面蓋で構成され、該上蓋と底座が内側に基板とスピーカを被覆し、該面蓋は上蓋を被覆し並びにロック装置で底座に固定され、これらの各部品の組立は対応する係合手段が相互に係合されて完成し、余分の組合せ手段を必要とせず、組立を簡易化しスピードアップし、組立作業員数を減らし製造コストを減らす。また基板は振動スイッチ或いはリードスイッチをトリガ源とし、車両、手提げ物品、展示物、ドアや窓、或いはキャビネット等の多用途盗難防止器とされ得て、同じケースを共用でき、型の製造コストを減らし、並びに金属ヘッドを具えたワイヤロープが組み合わされて挿通方式で懸吊されるか或いは壁に固定され、最良の盗難防止保護効果を提供する。
【発明を実施するための最良の形態】
【００１０】
図１及び図２は本発明の二つの異なる角度から描いた分解立体図である。該盗難防止器のケースは、上蓋１０、底座３０及び面蓋４０で構成されている。
【００１１】
該上蓋１０は凹んだ放置空間を具え、両側に少なくとも一つの係止柱１１が凸設され、該放置空間は隔板１２で基板放置エリア１３と電池放置エリア１４の二つの部分に分けられている。
【００１２】
該基板放置エリア１３には基板２０を載置する係止装置とスピーカ２１を載置する開放孔１３１があり、該係止装置は上蓋１０内側に設けられた少なくとも一つの押止め片１３２と内側より基板の幅を離れた位置の少なくとも一つの位置制限板１３３で組成され、且つ該押止め片１３２と該位置制限板１３３の間に複数のボタン孔１３４が設けられて、基板２０のボタン２２を挿通させ外部に露出させるのに供される。該開放孔１３１の外側に囲み板１３５が設けられてスピーカ２１の固定に供され、該囲み板１３５の両側に相互に連通し且つ口径サイズが異なる中空柱１３６、１３７が設けられ、この二つの中空柱１３６、１３７に対応する開放溝１３８が設けられている。
【００１３】
該電池放置エリア１４は電池１４１の放置に教唆、その一側に開口１４２が設けられている。
【００１４】
該底座３０は、上蓋１０の周囲に対応するよう形成された囲み板３１を具え、底座３０と上蓋１０の組合せ後に閉じたケースを形成し、該囲み板３１と底座３０の間に凹溝３１１が形成され、且つ上蓋１０の係止柱１１に対応する係止孔３２が設けられ、囲み板３１に前述の開口１４２に対応する延伸片３３が凸設され、該延伸片３３に鍵孔３４が設けられている。
【００１５】
前述の底座３０の囲み板３１が包囲する区域は隔板３５で基板放置エリア３６と電池放置エリア３７の二つの部分に区画され、該基板放置エリア３６に基板２０を押さえる圧接片３６１と、比較的大口径の中空柱１３６に対応する穿孔３８が設けられ、また囲み板３１にあって二つの中空柱１３６、１３７の開放溝１３８に対応する位置に、開放溝３９が設けられている。
【００１６】
該面蓋４０は、上蓋１０外部を被覆し底座３０に組付けられ、該面蓋４０にあって、上蓋１０のボタン孔１３４及び開放孔１３１に対応する部分に穿孔４１、４２が設けられ、一側の内側に底座３０の係止孔３２に対応する係止片４３が凸設され、もう一側に底座３０の鍵孔３４に対応する鍵孔４４が設けられ、並びに面蓋４０の周囲底端に嵌入片４５が延設されている。
【００１７】
このほか、面蓋４０の側辺の底座３０の開放溝３９に対応する位置に開放溝４６が設けられている。
【００１８】
組立時には、押しボタン導電ゴムの各ボタン２２がボタン孔１３４に通され、各ボタン２２が外部に露出し、更に基板２０が導電ゴム上に置かれ、基板２０の一側が押止め片１３２に係合し、もう一側が位置制限板１３３に制限されて上蓋１０の基板放置エリア１３中に固定される。該スピーカ２１は開放孔１３１の囲み板１３５中に置かれて固定される。電池１４１は電池放置エリア１４に置かれる。
【００１９】
更に上蓋１０が底座３０を被覆し、係止柱１１が底座３０の係止孔３２中に係合されて一体とされる。このとき、
１．該底座３０の圧接片３６１が基板２０に圧接し、基板２０を平穏に上蓋１０と底座３０の間に固定し、ボタン２２を押圧する力による脱出を防止する。
２．二つの比較的大口径の中空柱１３６が底座３０の穿孔３８に対応し、且つ二つの中空柱１３６、１３７の開放溝１３８が底座３０の囲み板３１に設けられた開放溝３９に対応する。
３．底座３０の延伸片３３が上蓋１０の開口１４２と嵌合し、該開口１４２が閉じられる。
【００２０】
更に図２に示されるように、本実施例では振動スイッチ２３が盗難防止器の基板２０を起動するトリガソースとされ、並びに懸吊方式で保護物品に結合される。図３に示されるように、両端に金属ヘッド５１を具えたワイヤロープ５０が懸吊の連結手段とされ、並びにワイヤロープ５０が調整リング５２に挿通されて、結合する保護物品の懸吊緊張度の調節が行なえる。
【００２１】
該ワイヤロープ５０の一端は底座３０の穿孔３８より挿入さて比較的大口径の中空柱１３６に進入し、並びにワイヤロープ５０が比較的小口径の中空柱１３７に移動させられ、金属ヘッド５１が比較的小口径の中空柱１３７内に係止され、該ワイヤロープ５０の別端は保護物（例えばキャビネットのハンドル、手提げ物品のハンドル、車両のかじ取り盤６０等）に通された後（図６）、同じ方式でワイヤロープ５０の別端の金属ヘッド５１が比較的小口径の中空柱１３７中に係止され、更に面蓋４０が上蓋１０外部を被覆し、該面蓋４０の一側内側の係止片４３が底座３０の係止孔３２に係合し、別側が底座３０の鍵孔３４に対応し、並びに底端の嵌入片４５が底座３０の凹溝３１１中に挿入され、金属ヘッド５１を係止した比較的小口径の中空柱１３７が閉じられ、これによりワイヤロープ５０の脱落が防止され、並びに面蓋４０と底座３０が緊密に接合される。
【００２２】
本発明はロック装置７０を提供し、該ロック装置７０は分離可能なロックヘッド７１と回転片７２を具え、該ロックヘッド７１は円柱体とされ、その一端の周囲にストッパリング７１１が延設され中央に回転片７２の挿入に供される凹溝７１２が設けられ、別端に凸柱７１３が凸設され、底座３０及び面蓋４０の鍵孔３４、４４に対応する様式を形成している。
【００２３】
該ロック装置７０が鍵孔３４、４４に挿入された後、回転片７２が回されてロックヘッド７１がある角度傾けられると、底座３０と面蓋４０が一体に結合され、回転片７２がロックヘッド７１より退出し、ロックヘッド７１が凸柱７１３により底座３０に制限されて底座３０の鍵孔３４内側面に留置される（図４及び図５）。
【００２４】
同様に、電池１４１を交換するか或いは盗難防止器を取り外したい時は、回転片７２を利用してロックヘッド７１を回転させて鍵孔３４、４４に対応する位置となせば、ロックヘッド７１を盗難防止器より取り出すことができ、面蓋４０と底座３０を分離して底座３０と上蓋１０を分離させることができる。
【００２５】
もし本発明を使用する時、ドア或いは壁に固定する必要があるなら、両面テープを底座３０に貼り付けるか或いはネジを用いて底座３０を固着させればよい。
【００２６】
本発明の盗難防止器のケースはネジ孔を内蔵する必要がなく、取り付け制限の心配がなく、これにより懸吊方式で保護物に結合させるか或いはドアに固着させる方式のいずれをも採用でき、軽微な振動を振動スイッチ２３が検出して起動され、且つ係合構造が簡単で組立が容易であり、生産時の人件費を節約でき、取り付け方式を選択でき使用に便利である。
【００２７】
図７に示されるように、基板２０の振動スイッチ２３はリードスイッチ２４に交換可能であり、基板２０とリードスイッチ２５を接続する電線２５は、相互に対応する中空柱１３６、１３７の開放溝１３８、底座３０の開放溝３９及び面蓋４０の開放溝４６を通り、盗難防止器のケース外に導出され、リードスイッチ２５が盗難防止器のケース外に延伸されて、ドアの両側にそれぞれ設置可能とされ（図８）、これにより異なる盗難防止器トリガソースが同じケースを共用して組付けられ、型の製造コストを減らすことができる。
【００２８】
ゆえに、本発明の提供する盗難防止器のケースは、ネジによる組立の欠点を有効に解決し、且つこれまでにない発明であり、産業上の利用価値と実用性を有している。
【００２９】
なお、以上の説明は本発明の範囲を限定するものではなく、本発明に基づきなしうる細部の修飾或いは改変は、いずれも本発明の請求範囲に属するものとする。
【図面の簡単な説明】
【００３０】
【図１】本発明の分解立体図である。
【図２】本発明の別角度から描いた分解立体図である。
【図３】本発明の保護物に接続されるワイヤロープの表示図である。
【図４】本発明の組立後にロック装置が面蓋と底座に結合された状態表示図である。
【図５】図４のロック後に、回転片がロックヘッドを離脱した状態の表示図である。
【図６】本発明が懸吊方式で保護物品に結合された状態の表示図である。
【図７】本発明のリードスイッチを採用した実施例の分解図である。
【図８】図７の組合せ後の実施表示図である。
【符号の説明】
【００３１】
１０  上蓋                      ３１  囲み板
１１  係止柱                    ３１１  凹溝
１２  隔板                      ３２  係止孔
１３  基板放置エリア            ３３  延伸片
１３１  開放孔                  ３４  鍵孔
１３２  押止め片                ３５  隔板
１３３  位置制限板              ３６  基板放置エリア
１３４  ボタン孔                ３６１  圧接片
１３５  囲み板                  ３７  電池放置エリア
１３６  比較的大口径の中空柱    ３８  穿孔
１３７  比較的小口径の中空柱    ３９  開放溝
１４  電池放置エリア            ４１  穿孔
１４１  電池                    ４２  穿孔
１４２  開口                    ４３  係止片
２０  基板                      ４４  鍵孔
２１  スピーカ                  ４５  嵌入片
２２  ボタン                    ４６  開放溝
２３  振動スイッチ              ５０  ワイヤロープ
２４  リードスイッチ            ５１  金属ヘッド
３０  底座                      ５２  調整リング
６０  かじ取り盤                ７１２  凹溝
７０  ロック装置                ７１３  凸柱
７１  ロックヘッド              ７２  回転片
７１１  ストッパリング
【図１】
2006065551.tif 000003
【図２】
2006065551.tif 000004
【図３】
2006065551.tif 000005
【図４】
2006065551.tif 000006
【図５】
2006065551.tif 000007
【図６】
2006065551.tif 000008
【図７】
2006065551.tif 000009
【図８】
2006065551.tif 000010